(57)【要約】【課題】  住宅地のゴミ収集所や、マンションのベランダ、田畑や果樹園等農地、駐車等において、カラス等害鳥から受ける被害を回避するためのものであって、使用場所で光を受けてこれを強化し且つ乱反射させて害鳥を確実且つ効果的に防除することができるようにされた新規の防鳥具を提供することを目的とする。【解決手段】  本発明に係る防鳥具は、受光面及び放光面が外側に露呈した状態で使用される主体を有し、前記主体は、螢光色素が分散された状態で含むポリメチルメタアクレート、ポリカーボネート、特定の制約条件下のポリスチレン、ポリエチレン等プラスチックにより構成されていることを特徴とするものである。【選択図】        図１
2004187681.tif 000002
【特許請求の範囲】
【請求項１】
受光面及び放光面が外側に露呈した状態で使用される主体を有し、前記主体は、螢光色素が分散された状態で含むポリメチルメタアクレート、ポリカーボネート、特定の制約条件下のポリスチレン、ポリエチレン等プラスチックにより構成されていることを特徴とする防鳥具。
【請求項２】
前記主体は、板状駒体であることを特徴とする請求項１記載の防鳥具防鳥具。
【請求項３】
前記板状駒体は、その受光面及び放光面の向きが当該駒体の揺動若しくは回転によって自由に変化しうるようにされたことを特徴とする請求項２記載の防鳥具。
【請求項４】
前記板状駒体は、その取付け部が、小孔であることを特徴とする請求項２記載の防鳥具。
【請求項５】
前記板状駒体は、その取付け部が、感圧接触層であることを特徴とする請求項２記載の防鳥具。
【請求項６】
前記板状駒体は、その取付け部が、磁石層であることを特徴とする請求項２記載の防鳥具。
【請求項７】
前記板状駒体と感圧接触層若しくは磁石層との間にスポンジ等弾性層が設けられたことを特徴とする請求項５または６記載の防鳥具。
【請求項８】
前記主体は、網状体であることを特徴とする請求項１記載の防鳥具防鳥具。
【請求項９】
前記網状体は、袋の形にされたことを特徴とする請求項８記載の防鳥具防鳥具。
【請求項１０】
前記主体は、フイルム状体であることを特徴とする請求項１記載の防鳥具防鳥具。
【請求項１１】
前記フイルム状体は、袋の形にされたことを特徴とする請求項１０記載の防鳥具防鳥具。
【発明の詳細な説明】
【技術分野】
【０００１】
本発明は、光を反射させて、カラス、鳩、小鳥（本文中、害鳥という）が保護対象物に接近しないようにするための防鳥具に関する。
【背景技術】
【０００２】
住宅地のゴミ収集所や、マンションのベランダ、田畑・果樹園等農地、駐車中の車の上等は、害鳥による被害を受けることが非常に多く、とりわけ住宅地のゴミ収集所がこれ等害鳥に荒らされるという問題および鳴き声がうるさいという問題等がクローズアップされて久しい。
【０００３】
害鳥は、ａ.ゴミ袋をほじくり破いて内容物を周囲に散乱させたり、大きな鳴き声を発したりして住民を困らせる、ｂ.種蒔き直後の種をほじくったり、収穫直前の農作物をつついたりして農作物の育成・収穫の悪化、商品価値の低下を招く、ｃ.ハウス栽培している農家では害鳥がハウスの屋根に止まり、爪でビニールシートを破る、ｄ.駐車中の車の屋根等を糞で汚したり爪で傷つけたりする等の被害を惹起している。そして、これら被害は害鳥が異常発生した地区では甚大であり、その被害防除は、急務になっている。
【０００４】
従来は、害鳥から住民や農作物等を守るために、案山子を立てたり、また黒色、赤色、黄色等に彩色された目玉状の鳥追い具を建物の軒先、田畑等の害鳥飛来地に吊り下げたり、光を鏡面で反射させたりして、害鳥を追い払っていた（特許文献１参考）。
【０００５】
しかしながら、前記のようにして、害鳥を追い払って住民や農作物等を守る手段は、いずれも害鳥が馴れてしまうと効果がなくなるものであって、必ずしも有効な害鳥の防除手段とは言いなかった。また、金色や銀色のテープや短冊を風になびくようにしてロープに吊り下げることがあったが、これだけでは、光の反射が弱く、害鳥を遠ざけるには充分に有効であったとは言えなかった。
【０００６】
【特許文献１】特開平７−３１３５５号公報
【発明の開示】
【発明が解決しようとする課題】
【０００７】
本発明は、前記従来の諸問題点を解消するためになされたものであって、使用場所で受けた光を強化して強い光を乱反射させ、これにより害鳥を確実且つ効果的に防除しうるようにした新規の防鳥具を提供することを目的とする。
【課題を解決するための手段】
【０００８】
前記目的を達成するために、請求項１に係る防鳥具にあっては、受光面及び放光面が外側に露呈した状態で使用される主体を有し、前記主体は、螢光色素が分散された状態で含むポリメチルメタアクレート、ポリカーボネート、特定の制約条件下のポリスチレン、ポリエチレン等プラスチックにより構成されていることを特徴とする。
【０００９】
また、請求項２に係る防鳥具にあっては、前記主体は板状駒体であることを特徴とする。
【００１０】
また、請求項３に係る防鳥具にあっては、前記板状駒体は、その受光面及び放光面の向きが当該駒体の揺動若しくは回転によって自由に変化しうるようにされたことを特徴とする。
【００１１】
また、請求項４に係る防鳥具にあっては、前記板状駒体は、その取付け部が、小孔であることを特徴とする。
【００１２】
また、請求項５に係る防鳥具にあっては、前記板状駒体は、その取付け部が、感圧接触層であることを特徴とする。
【００１３】
また、請求項６に係る防鳥具にあっては、前記板状駒体は、その取付け部が、磁石層であることを特徴とする。
【００１４】
また、請求項７に係る防鳥具にあっては、前記板状駒体と感圧接触層若しくは磁石層との間にスポンジ等弾性層が設けられたことを特徴とする。
【００１５】
また、請求項８に係る防鳥具にあっては、前記主体は網状体であることを特徴とする。
【００１６】
また、請求項９に係る防鳥具にあっては、前記網状体は、袋の形にされたことを特徴とする。
【００１７】
また、請求項１０に係る防鳥具にあっては、前記主体は、フイルム状体であることを特徴とする。
【００１８】
また、請求項１１に係る防鳥具にあっては、前記フイルム状体は、袋の形にされたことを特徴とする。
【発明の効果】
【００１９】
請求項１に係る防鳥具は、受光面及び放光面が外側に露呈した状態で使用される駒体を主体とする防鳥具であって、前記駒体は、螢光色素が分散された状態で含むポリメチルメタアクレート、ポリカーボネートまたは特定の制約条件下のポリスチレン等透明プラスチックにより構成されていることを特徴とするので、前記諸問題点を充分に解決する効果を奏することができる。
【００２０】
請求項２に係る防鳥具は、前記主体は板状駒体であることを特徴とするので、切断加工で容易に構成することができる。
【００２１】
請求項３に係る防鳥具は、駒体の受光面及び放光面の向きが当該駒体の揺動若しくは回転によって自由に変化しうるようにされていることを特徴とするので、前記効果をより顕著にできる。
【００２２】
請求項４に係る防鳥具は、駒体の取付け部が小孔であることを特徴とするので、紐やビス等を利用し簡単に取り付けて使用することができる。
【００２３】
請求項５に係る防鳥具は、駒体の取付け部が感圧接触層であることを特徴とするので、工具等を使用しなくとも手指だけで容易に取り付けることができる。
【００２４】
請求項６に係る防鳥具は、駒体の取付け部が磁石層であることを特徴とするので、工具等を使用せずに手指だけで容易に着けたり外したりできる。
【００２５】
請求項７に係る防鳥具は、駒体と感圧接触層/磁石層との間にスポンジ等弾性層が設けられていることを特徴とするので、取付け面である接着面/吸着面がゆるやかな凸曲面や凹曲面を呈しているようなところでも剥落しにくい状態に確実に取り付けることができる。
【００２６】
請求項８に係る防鳥具は、前記主体が網状体であることを特徴とするので、前記したように、たとえば住民が捨てたゴミの山に被せたり、芝生や農作物に被せたり周囲を囲ったりしてこれらを烏から守ることや、前記網状体３６で衣類を構成してこれを着用すれば烏の攻撃から身を守ることができる。
【００２７】
請求項９に係る防鳥具は、前記網状体が袋の形にされたことを特徴とするので、これを烏除け機能を備えたゴミ袋や農作物の収穫袋等に手軽に使用できる。
【００２８】
請求項１０に係る防鳥具は、前記主体がフイルム状体であることを特徴とするので、前記したように、たとえば住民が捨てたゴミの山に被せたり、芝生や農作物に被せたり周囲を囲ったりしてこれらを烏から守ることや、前記フイルム状体３７で衣類を構成してこれを着用すれば烏の攻撃から身を守ることができる。
【００２９】
請求項１１に係る防鳥具は、前記フイルム状体が袋の形にされたことを特徴とするので、これを烏除け機能を備えたゴミ袋や農作物の収穫袋等に手軽に使用できる。
【発明を実施するための最良の形態】
【００３０】
図１に示す第１実施の形態に係る防鳥具４１は、螢光色素が均一に分散された状態で含む透明ポリメチルメタアクレート製の厚い板を短冊状に切断して構成された複数個の駒体１を有する。そして、各駒体１は、表裏に受光面２、３を有し外周全縁に放光面４を有する。また、各駒体１はその上・下端の中央個所と対角線上に位置する配置の片隅個所とに吊下げ孔５，６が穿設されている。この吊下げ孔は他の都合のよい個所に設けることができる。そして、各駒体１は、前記吊下げ孔５、６に吊下げ紐７及びつなぎ紐８が挿通された状態で結ばれている。この場合、放光面４が害鳥の飛来方向に向くように、適宜に吊下げ孔５、６を選択して、吊下げ紐７及びつなぎ紐８を通して結ぶことが好ましい。なお、前記厚い板は、光を通すプラスチック製であればよく、無透明のものでも有色透明のものでも不透明のものでも実施できる。
【００３１】
前記第１実施の形態に係る防鳥具４１は、駒体１の中心線を縦向きにしたり斜めに向きにしたりした吊り下げの状態にされている。よって各駒体１が風にあおられて個別に自由に揺動及び回転できるようにされている。
【００３２】
前記第１実施の形態に係る防鳥具４１は、各駒体１が紐や鎖等により相互に連結された状態で、軒先や木の枝等（図示せず）に吊下げることによって用いるようにされたものである。
【００３３】
図２に示す第２実施の形態に係る防鳥具４２は、前記駒体１の１個を吊下げ紐７で吊り下げたものであって、軒先や木の枝等（図示せず）に適宜に吊下げて用いるようにされているものである。
【００３４】
図３に示す第３実施の形態に係る防鳥具４３は、前記駒体１とビス９がセットにされたものであって、駒体１をビス９により家屋の壁や電柱等（図示せず）に固定して用いるようにされたものである。なお、家屋の壁や電柱等への固定は、市販の、若しくは手持ちの接着剤で行なうことができる。このように接着剤で直に固定個所に止着するものである場合には、本発明は、吊下げ孔５、６無しで実施することができる。
【００３５】
図４に示す第４実施の形態に係る防鳥具４４は、ふくろうを模して構成されたプラスチック製の防鳥具本体１０に前記第１実施の形態と同じ材料で構成された駒体１１が回転自在に組み込まれたものである。
【００３６】
すなわち、前記第４実施の形態に係る防鳥具４４は、防鳥具本体１０の両目の個所および胴体の個所に大きな穴１２、１３が開設され、これ等各穴１２、１３の上下切縁間に中心軸１４が渡し設けられ、そしてこの中心軸１４には駒体１１が風を受けて個別に自由に回転できる状態で支承されているものである。なお、本発明は、前記中心軸１４を左右向きにすることができ、また、大きな穴１２、１３内には紐、鎖等を用いて駒体を揺動、回転に吊り下げることができる。
【００３７】
前記の第４実施の形態に係る防鳥具４４は、図４に示すようにスプリング１５が基端に連結された吊下げ紐１６で吊下げることにより使用される。このようにされた第４実施の形態に係る防鳥具４４は、スプリング１５の存在および風力等により上下左右に揺動/回転して各駒体１１が多次元的に自由に動き、より防鳥効果を発揮するようにされたものである。
【００３８】
前記防鳥具本体１０の外観は、ふくろうだけに限定されるものではなく、害鳥が恐れるタカ、ワシ、トンビ等の猛禽類、動物、その他の形になして実施することができる。
【００３９】
図５及び図６に示す第５実施の形態に係る防鳥具４５は、螢光色素が分散された状態で含むポリメチルメタアクレート製の厚い板を短冊状に切断して駒体１７が構成されている。この駒体１７はその裏面に感圧接着剤を塗布して感圧接着層１８が設けられると共に当該感圧接着層１８には離型紙１９が剥離自在に被着されている。
【００４０】
図７〜図９に示す第６実施の形態に係る防鳥具４６は、螢光色素が分散された状態で含むポリメチルメタアクレート製の厚い板を短冊状に切断して駒体２０が構成されている。この駒体２０はその裏面にスポンジ層材２１が貼着されると共に当該スポンジ層材２１に感圧接着剤を塗布して感圧接着層２２が設けられ、さらに当該感圧接着層２２に離型紙２３が剥離自在に被着されているものである。
【００４１】
前記第６実施の形態に係る防鳥具４６は、図９に示すように、離型紙２３を剥がし除いて感圧接着層１８を露呈させた後に、当該感圧接着層２２を利用して車の屋根の上等に貼り付け、よって用いるようにされたものである。このように貼り付けたときには、スポンジ層１７は車の屋根の凸形状面２４に沿った形に変形して剥がれを起こしにくくする機能を発揮する。
【００４２】
図１０及び図１１に示す第７実施の形態に係る防鳥具４７は、螢光色素が分散された状態で含むポリメチルメタアクレート製の厚い板を短冊状に切断して駒体２５が構成されている。この駒体２５の裏面にはプラスチック製マグネット板２６が接着剤２７により剥離不能に貼着されている。
【００４３】
図１２〜図１４に示す第８実施の形態に係る防鳥具４８は、螢光色素が分散された状態で含むポリメチルメタアクレート製の厚い板を短冊状に切断して駒体２０が構成されている。この駒体２８はその裏面に薄いスポンジ層材２９が貼着されると共に当該スポンジ層材２９にプラスチック製マグネット板３０が接着剤３１により剥離不能に貼着されている。
【００４４】
前記第８実施の形態に係る防鳥具４８は、図１４に示すように、車の屋根の上にプラスチック製マグネット板３０の吸着力を利用して吸着し、よって用いるようにされたものである。このように吸着させたときには、スポンジ層材２９は車の屋根の凸形状面３２に沿った形に変形し、よって剥がれにくくする機能を発揮する。前記第８実施の形態に係る防鳥具４８は、プラスチック製マグネット板３０を利用したものであるので、不要の場合には簡単に外すことができる利便さがある。
【００４５】
また、本発明は、図１５に示す第９実施の形態に係る防鳥具４９のように、放光性を高めるために駒体３３の表面を微細凹凸面３４にすることができ、また彫刻模様を設けて美的にすることができる。
【００４６】
前記駒体は、その表面（受光面として機能する。微細凹凸面３４とされた場合には放光面としても機能する。）に照射光線を受けたときには、当該照射光線を波長変換して螢光に変え且つこの螢光を反射の法則に従つてその大部分をコバ面（放光面として機能する。）および微細凹凸面に再帰反射する。この再帰反射は、コバ面および微細凹凸面を強い光度で目立つように光らせる。よって害鳥の目に与える刺激（防鳥力）は強化される。
【００４７】
前記第１〜第９実施の形態に係る防鳥具は、駒体のコバ面（および微細凹凸面）が顕著に光ることにより、飛来する害鳥に強くはつきりと刺激（驚愕）を与えるものであって、確実且つ効果的に長期間に亘って害鳥を防除することができる。
【００４８】
図１６及び図１７に示す第１０実施の形態に係る防鳥具５０は、螢光色素が分散された状態で含むポリエチレン製の糸条３５を編んで網状体３６が構成されたものである。この網状体３６は、たとえば住民が捨てたゴミの山３７に被せて当該ゴミの山３７を烏から守る等に使用されるものである。また、前記網状体３６で衣類を構成することができるので、これを着用すれば烏の攻撃から身を守ることができて好ましい。
【００４９】
図１８に示す第１１実施の形態に係る防鳥具５１は、前記網状体３６を袋の形にすることで構成されたものであって、烏除け機能を備えたゴミ袋３８や農作物の収穫袋等に使用できるようにされたものである。
【００５０】
前記第１０及び１１実施の形態に係る防鳥具は、網状体３６における糸条３５の外周表面が受光面及び放光面として機能して顕著に光ることにより、飛来する害鳥に強くはつきりと刺激（驚愕）を与えるものであって、確実且つ効果的に長期間に亘って害鳥を防除することができる。
【００５１】
また、前記網状体３６は、芝生や農作物に被せたり周囲を囲ったりしてこれらを烏等害鳥から守る等の使用にも供することができる。ちなみに、前記のように芝生や農作物に被せて使用した場合には、これら芝生や農作物が青々とした成育のよさを呈した事実を確認できた。これからして前記網状体３６は、芝生や農作物の成育に有効に役立つものである。
【００５２】
図１９及び図２０に示す第１２実施の形態に係る防鳥具５２は、螢光色素が分散された状態で含むポリエチレンを以って構成されたフイルム状体３９である。このフイルム状体３９は、たとえば住民が捨てたゴミの山３７に被せて当該ゴミの山３７を烏から守る等に使用されるものである。また、前記フイルム状体３９で衣類を構成すれば、これを着用することで烏の攻撃から身を守ることができて好ましい。
【００５３】
図２１に示す第１３実施の形態に係る防鳥具５３は、前記フイルム状体３９を袋の形にすることで構成されたものであって、烏除け機能を備えたゴミ袋４０や農作物の収穫袋等に使用できるようにされたものである。
【００５４】
前記第１２及び１３実施の形態に係る防鳥具は、フイルム状体３９における表裏面が受光面及び放光面として機能して光ることにより、飛来する害鳥に強くはつきりと刺激（驚愕）を与えるものであって、確実且つ効果的に長期間に亘って害鳥を防除することができる。
【００５５】
また、前記フイルム状体３９は、芝生や農作物に被せたり周囲を囲ったりしてこれらを烏等害鳥から守る等の使用にも供することができる。ちなみに、前記のように芝生や農作物に被せて使用した場合には、これら芝生や農作物が青々とした成育のよさを呈した事実を確認できた。これからして前記フイルム状体３９は、芝生や農作物の成育に有効に役立つものである。
【００５６】
前記螢光染料としては、BASP色材研究所において開発された特殊螢光染料〔Fluorescence 
Orange  240、Red  300、Yellow O83、VL  Highly 
Pure（Violet  570）、Red  339、Violet  654〕が使用されている。
【００５７】
なお、本発明は、前記螢光染料に限定されるものでなく、これに替えて他の蛍光染料を使用することは自由である。また、前記駒体、網状体は生分解性プラスチック製であることが望ましい。
【００５８】
そもそも、人間を含めて害鳥等動物は、目に入ってくる強い光を忌避し、遠ざかりたがる傾向があることは周知の通りである。
【００５９】
以上説明した通り本発明に係る防鳥具は、螢光染料をして顕著に光ることにより、飛来する害鳥に強くはつきりと刺激（驚愕）を与えるものであって、確実且つ効果的に長期間に亘って害鳥を防除することができる。
【図面の簡単な説明】
【００６０】
【図１】本発明の第１実施の形態に係る防鳥具を示す斜視図である。
【図２】本発明の第２実施の形態に係る防鳥具を示す斜視図である。
【図３】本発明の第３実施の形態に係る防鳥具を示す斜視図である。
【図４】本発明の第４実施の形態に係る防鳥具を示す正面図である。
【図５】本発明の第５実施の形態に係る防鳥具を示す斜視図である。
【図６】同じく側面図である。
【図７】本発明の第６実施の形態に係る防鳥具を示す斜視図である。
【図８】同じく側面図である。
【図９】同じく使用状態を示す側面図である。
【図１０】本発明の第７実施の形態に係る防鳥具を示す斜視図である。
【図１１】同じく側面図である。
【図１２】本発明の第８実施の形態に係る防鳥具を示す斜視図である。
【図１３】同じく側面図である。
【図１４】同じく使用状態を示す側面図である。
【図１５】本発明の第９実施の形態に係る防鳥具を示す断面図である。
【図１６】本発明の第１０実施の形態に係る防鳥具を示す斜視図である。
【図１７】同じく使用状態を示す断面略図である。
【図１８】本発明の第１１実施の形態に係る防鳥具を示す斜視図である。
【図１９】本発明の第１２実施の形態に係る防鳥具を示す斜視図である。
【図２０】同じく使用状態を示す断面略図である。
【図２１】本発明の第１３実施の形態に係る防鳥具を示す斜視図である。
【符号の説明】
【００６１】
１  駒体
２  受光面
３  受光面
４  放光面
５  吊下げ孔
６  吊下げ孔
７  吊下げ紐
８  つなぎ紐
９  ビス
１０  防鳥具本体
１１  駒体
１２  大きな穴
１３  大きな穴
１４  中心軸
１５  スプリング
１６  吊下げ紐
１７  駒体
１８  感圧接着層
１９  離型紙
２０  駒体
２１  スポンジ層材
２２  感圧接着層
２３  離型紙
２４  車の屋根の凸形状面
２５  駒体
２６  マグネット板
２７  スポンジ層材
２８  駒体
２９  スポンジ層材
３０  マグネット板
３１  接着剤
３２  車の屋根の凸形状面
３３  駒体
３４  微細凹凸面
３５  糸条
３６  網状体
３７  ゴミの山
３８  ゴミ袋
３９  フイルム状体
４０  ゴミ袋
４１  第１実施の形態に係る防鳥具
４２  第２実施の形態に係る防鳥具
４３  第３実施の形態に係る防鳥具
４４  第４実施の形態に係る防鳥具
４５  第５実施の形態に係る防鳥具
４６  第６実施の形態に係る防鳥具
４７  第７実施の形態に係る防鳥具
４８  第８実施の形態に係る防鳥具
４９  第９実施の形態に係る防鳥具
５０  第１０実施の形態に係る防鳥具
５１  第１１実施の形態に係る防鳥具
５２  第１２実施の形態に係る防鳥具
５３  第１３実施の形態に係る防鳥具
【図１】
2004187681.tif 000003
【図２】
2004187681.tif 000004
【図３】
2004187681.tif 000005
【図４】
2004187681.tif 000006
【図５】
2004187681.tif 000007
【図６】
2004187681.tif 000008
【図７】
2004187681.tif 000009
【図８】
2004187681.tif 000010
【図９】
2004187681.tif 000011
【図１０】
2004187681.tif 000012
【図１１】
2004187681.tif 000013
【図１２】
2004187681.tif 000014
【図１３】
2004187681.tif 000015
【図１４】
2004187681.tif 000016
【図１５】
2004187681.tif 000017
【図１６】
2004187681.tif 000018
【図１７】
2004187681.tif 000019
【図１８】
2004187681.tif 000020
【図１９】
2004187681.tif 000021
【図２０】
2004187681.tif 000022
【図２１】
2004187681.tif 000023